(57)【要約】【課題】 着用時の快適な使用感を得ることができ、吸水性パッドの装着が容易な男性用下着及び吸水性パッドを提供する。【解決手段】男性用下着１では、前カバー部８の左右側に通気開口部８１，８１が設けられている。通気開口部８１，８１から直接外気が出入りされるため、ムレ、カブレなどの皮膚疾患や不快感を低減することができる。従って、着用時の快適な使用感を得ることができる。また、収容部９０の窓部に対向する部分の後布８２は、水分を透過する水分透過素材から形成されているので、漏れた尿が吸水性パッド３０にスムーズに吸収される。吸水性パッド３０は、袋部３２に人が手先を挿入して、収容部９０に挿入することができるので、収容部９０に吸水性パッド３０を容易に挿入することができる。【選択図】 図１
2018066076.tif 000002
【特許請求の範囲】
【請求項１】
上部のウエスト開口部、左右のレッグ開口部及び該レッグ開口部の間の股下部を有するパンツ本体と、
該パンツ本体の前部に設けられ、使用者の陰のう及び陰茎を露出させる窓部と、
該窓部を含む前記パンツ本体の前部を覆い、前記ウエスト開口部の縁部側と前記股下部側との間にわたって配され、前記窓部から露出される前記陰のう及び陰茎を覆い隠す前カバー部と、
前記前カバー部の左右端部と、前記パンツ本体の前部の表面との間に各々形成された通気開口部と、
前記各通気開口部の下部に設けられ、前記前カバー部の下端部を前記パンツ本体に固定する固定部と
を備え、
前記前カバー部は、
吸水性パッドを収容する収容部と、
前記収容部の上部に設けられ、前記吸水性パッドが挿入される挿入口とを添え、
前記収容部の前記窓部に対向する部分は、水分を透過する水分透過素材から形成され、
前記収容部は、下方に向かって左右方向の幅が狭くなるように形成された前記吸水性パッドを収容可能に、下方に向かって左右方向の幅が狭くなるように形成されていることを特徴とする男性用下着。
【請求項２】
前記窓部は、前記パンツ本体の前部において、上下方向に所定長さ開口した開口部であり、その開口部の下端部は、前記左右の固定部の上端部を結ぶ仮想線より前記股下部方向まで形成されていることを特徴とする請求項１に記載の男性用下着。
【請求項３】
前記収容部の外面は、防水性の素材から形成されていることを特徴とする請求項１又は２に記載の男性用下着。
【請求項４】
前記挿入口には、封止部材が設けられていることを特徴とする請求項１〜３の何れかに記載の男性用下着。
【請求項５】
請求項１〜４の何れかに記載の男性用下着に使用される吸水性パッドであって、
前記吸水性パッドは、
前記収容部に挿入又は取り外し可能であり、
表裏方向において、一定の厚みを有し、
下方に向かって左右方向の幅が狭くなる形状であり、
表面の下部に人の手先が挿入される袋部を備えていることを特徴とする吸水性パッド。
【請求項６】
着脱可能な吸水性パッドを備えた男性用下着であって、
前記男性用下着は、
上部のウエスト開口部、左右のレッグ開口部及び該レッグ開口部の間の股下部を有するパンツ本体と、
該パンツ本体の前部に設けられ、使用者の陰のう及び陰茎を露出させる窓部と、
該窓部を含む前記パンツ本体の前部を覆い、前記ウエスト開口部の縁部側と前記股下部側との間にわたって配され、前記窓部から露出される前記陰のう及び陰茎を覆い隠す前カバー部と、
前記前カバー部の左右端部と、前記パンツ本体の前部の表面との間に各々形成された通気開口部と、
前記各通気開口部の下部に設けられ、前記前カバー部の下端部を前記パンツ本体に固定する固定部と
を備え、
前記前カバー部は、
前記吸水性パッドを収容する収容部と、
前記収容部の上部に設けられ、前記吸水性パッドが挿入される挿入口とを添え、
前記収容部の前記窓部に対向する部分は、水分を透過する水分透過素材から形成され、
前記収容部は、下方に向かって左右方向の幅が狭くなるように形成された前記吸水性パッドを収容可能に、下方に向かって左右方向の幅が狭くなるように形成され、
前記吸水性パッドは、
前記収容部に挿入又は取り外し可能であり、
表裏方向において、一定の厚みを有し、
下方に向かって左右方向の幅が狭くなる形状であり、
表面の下部に人の手先が挿入される袋部を備えていることを特徴とする男性用下着。
【請求項７】
前記窓部は、前記パンツ本体の前部において、上下方向に所定長さ開口した開口部であり、その開口部の下端部は、前記左右の固定部の上端部を結ぶ仮想線より前記股下部方向まで形成されていることを特徴とする請求項６に記載の男性用下着。
【発明の詳細な説明】
【技術分野】
【０００１】
本発明は、尿漏れに対応でき、着用時の快適な使用感を得ることができる男性用下着及び吸水性パッドに関する。
【背景技術】
【０００２】
従来、例えば特許文献１に記載された失禁用パンツは股間部に吸収性パッド、更に撥水性生地が縫い付けられている。従って、特許文献１に記載のパンツでは、吸収性パッド、の交換ができないという問題点があった。また、特許文献１に記載のパンツでは、パンツの下端部が陰のうを押圧して押圧感により使用者に不快な思いをさせるという問題点があった。
【０００３】
この問題を解決するために、特許文献２に記載のパンツ型下着では、下着本体はトランクス形で股間部から下腹部に対応する位置に開口が形成されている。下着本体には下方へいくに従って幅寸法が徐々に小さくなる綿布によって構成されたカバーが取り付けられており、このカバーによって開口が覆われている。カバーは下着本体を構成する綿布によって構成されている。カバーは、その上端部と下端部のみが下着本体に縫い付けられている。カバーには収容ポケットが設けられており、この収容ポケットは下着本体の開口に対応する位置に形成されている。収容ポケットには吸収性シートが収容される。吸収性シートはパルプ等によって構成され、高い吸水性を有し、且つ吸収した水分を保持する保水性を備えている。
【先行技術文献】
【特許文献】
【０００４】
【特許文献１】特開２００４−１０５４８５号公報
【特許文献２】特開２００６−３２２１００号公報
【発明の概要】
【発明が解決しようとする課題】
【０００５】
しかし、特許文献２に記載のパンツ型下着では、下着の内部の股の部分が陰のうを押圧して着用時の快適な使用感を得にくいという問題点があった。また、特許文献２に記載のパンツ型下着では、収容ポケットが四角であり、吸収性シートも四角であるので、収容ポケットに吸収性シートを挿入しにくいという問題点があった。
【０００６】
本発明は、上記課題を解決するために成されたものであり、着用時の快適な使用感を得ることができ、吸水性パッドの装着が容易な男性用下着及び吸水性パッドを提供することを目的とする。
【課題を解決するための手段】
【０００７】
本発明の第一態様の男性用下着は、上部のウエスト開口部、左右のレッグ開口部及び該レッグ開口部の間の股下部を有するパンツ本体と、該パンツ本体の前部に設けられ、使用者の陰のう及び陰茎を露出させる窓部と、該窓部を含む前記パンツ本体の前部を覆い、前記ウエスト開口部の縁部側と前記股下部側との間にわたって配され、前記窓部から露出される前記陰のう及び陰茎を覆い隠す前カバー部と、前記前カバー部の左右端部と、前記パンツ本体の前部の表面との間に各々形成された通気開口部と、前記各通気開口部の下部に設けられ、前記前カバー部の下端部を前記パンツ本体に固定する固定部とを備え、前記前カバー部は、吸水性パッドを収容する収容部と、前記収容部の上部に設けられ、前記吸水性パッドが挿入される挿入口とを添え、前記収容部の前記窓部に対向する部分は、水分を透過する水分透過素材から形成され、前記収容部は、下方に向かって左右方向の幅が狭くなるように形成された前記吸水性パッドを収容可能に、下方に向かって左右方向の幅が狭くなるように形成されていることを特徴とする。
【０００８】
上記構成とすることにより、着用者の陰のう及び陰茎は窓部から露出された状態で前カバー部で覆い隠されるように保持することができる。従って、陰のうは、パンツ本体の股下部により押圧される可能性を低減できる。さらに、着用者の陰のう及び陰茎を、前カバー部の左右側に設けられる通気開口部に手を通すことができるため、左利きや右利きによらず、位置を直したり、放尿時に露出させることが容易にできる男性用下着を提供できる。しかも、発汗時においても通気開口部から直接外気が出入りされるため、ムレ、カブレなどの皮膚疾患や不快感を低減することができる。従って、着用時の快適な使用感を得ることができる。また、収容部の窓部に対向する部分は、水分を透過する水分透過素材から形成されているので、漏れた尿が吸水性パッドにスムーズに吸収される。さらに、収容部は、下方に向かって左右方向の幅が狭くなるように形成された吸水性パッドを収容可能に、下方に向かって左右方向の幅が狭くなるように形成されているので、吸水性パッドの幅の狭い下端部側から収容部の挿入口に挿入し易い。収容部及び吸水性パッドは、下方に向かって左右方向の幅が狭くなるように形成されているので、収容部に収容された吸水性パッドは位置ずれを生じにくい。
【０００９】
また、前記窓部は、前記パンツ本体の前部において、上下方向に所定長さ開口した開口部であり、その開口部の下端部は、前記左右の固定部の上端部を結ぶ仮想線より前記股下部方向まで形成されていてもよい。この場合には、窓部の開口部の下端部は、前記左右の固定部の上端部を結ぶ仮想線より前記股下部方向まで形成されているので、窓部の開口部の下端部が使用者の陰のうに食い込むことが無く、使用者に不快な思いをさせることがない。従って、着用時の快適な使用感を得ることができる。
【００１０】
また、前記収容部の外面は、防水性の素材から形成されていてもよい。この場合には、吸水性パッドに吸収された尿の収容部の外面から外側への漏れを防止することができる。
【００１１】
また、前記挿入口には、封止部材が設けられていてもよい。収容部に吸水性パッドを収容後に、封止部材で挿入口を封止すれば、吸水性パッドが収容部から脱落することがない。
【００１２】
また、本発明の第二態様の吸水性パッドは、前記男性用下着に使用される吸水性パッドであって、前記収容部に挿入又は取り外し可能であり、表裏方向において、一定の厚みを有し、下方に向かって左右方向の幅が狭くなる形状であり、表面の下部に人の手先が挿入される袋部を備えていることしてもよい。この場合には、袋部に人が手先を挿入して、収容部に吸水性パッドを挿入することができるので、収容部に吸水性パッドを容易に挿入することができる。
【００１３】
また、本発明の第三態様の男性用下着は、着脱可能な前記吸水性パッドを備えていてもよい。
【図面の簡単な説明】
【００１４】
【図１】男性用下着１の斜め上方から見た斜視図である。
【図２】男性用下着１を裏返した状態で斜め上方から前部を見た斜視図である。
【図３】吸水性パッドを装着した状態の男性用下着１の斜め上方から見た斜視図である。
【図４】男性用下着１を使用者が着用した状態を示す縦断面図である。
【発明を実施するための形態】
【００１５】
以下、本発明の一実施の形態の男性用下着１を図面を参照して説明する。なお、以下の説明では、左右、前後、上下などの記載は、着用者にとっての方向を意味する。従って、図１における上、下、左、右を男性用下着１の上、下、右、左とし、紙面の表側を前、紙面の裏側を後とする。
【００１６】
図１に示すように、男性用下着１は、着用者の腰にフィットさせるために上部に配されるウエスト開口部２と、着用者の脚を通すために左右に配されるレッグ開口部３と、このレッグ開口部３の間に配される股下部４を有するパンツ本体５から構成される。このパンツ本体５の材質の一例としては、伸縮性を有する綿、絹、ウール、あるいは合成繊維などの布があげられる。
【００１７】
ウエスト開口部２には縁部７が設けられる。この縁部７は着用者の腰位置に相当する部分であり、パンツ本体５の最上部に設けられている。この縁部７は弾性部材から構成されており、一例として、ゴム状部材から構成される。この縁部７の弾性力によって腰にフィットさせるようにして着用後のズレ落ちを防止している。
【００１８】
パンツ本体５の前身頃としての前部５１には、図２に示すように着用者の陰のう２１及び陰茎２２を露出させる窓部６が設けられている。図２は男性用下着１を裏返した状態で前部を見た図である。窓部６は図２に示すように、上下方向を長手として前部５１を形成する布材にスリット状に形成される開口部である。窓部６は布材の柔軟性によって開口されることとなる。
【００１９】
尚、図４に示すように、股下部４は、平面視、略長方形のマチ４Ａから構成されている。マチ４Ａの後部には、パンツ本体５の後身頃としての後部布５２が縫着され接続部４Ｂとなっている。また、マチ４Ａの前部は、前部５１に縫着され接続部４Ｃとなっている。尚、マチ４Ａは、接続部４Ｂと接続部４Ｃとの間の部分であるマチが通常の男性用パンツのマチよりも半分程度になっている。
【００２０】
次に、図１〜図４を参照して、パンツ本体５の窓部６を覆う前カバー部８について説明する。前カバー部８はウエスト開口部２の縁部７側と股下部４側との間にわたって、前部５１を覆うように設けられている。前カバー部８は、所定の伸縮性を有する綿、絹、ウール、あるいは合成繊維などの布製によって、全体が概ね逆台形状に形成される前布８０と後布８２の２枚の布の左右の各端部を各々縫い合わせ、上部に開口部である挿入口８９が形成されている。従って、前カバー部８は、上部が開口部である挿入口８９を備える袋状の部材である。前カバー部８の前布８０と後布８２の間は吸水性パッド３０が収容される収容部９０となっている。収容部９０は、下方に向かって左右方向の幅が狭くなるように形成され、下方に向かって左右方向の幅が狭くなる吸水性パッド３０を収容可能である。また、前布８０は防水性の素材から形成されている。後布８２は水分を透過する水分透過素材から形成されている。後布８２は一例として、細かい目のあるネット状の生地である。
【００２１】
次に、吸水性パッド３０について説明する。図１、図３及び図４に示すように、吸水性パッド３０は、後布８２を通過した尿等の水分を吸収するパッドであり、吸水性の素材から構成される。吸水性パッド３０は、収容部９０に挿入又は取り外し可能であり、図４に示すように、表裏方向において、一定の厚みを有し、図１及び図３に示すように、下方に向かって左右方向の幅が狭くなる形状である。吸水性パッド３０の表面３１の表裏方向における厚みの一例は、例えば、３ｍｍ、５ｍｍ、１０ｍｍ等である。吸水性パッド３０の吸水性の素材の材質と、吸水量により、必要に応じた厚みを採用すればよい。また、吸水性パッド３０は、表面３１の下部に人の手先が挿入される挿入口３３を備えた袋部３２を備えている。尚、吸水性パッド３０の下端部は、図１に示すように半円形でもよい。また、吸水性パッド３０の下端部を水平方向に直線状にした逆台形状でもよい。また、逆三角形状でもよい。吸水性パッド３０は水溶性の材質で構成され、水洗トイレに流すことが可能であってもよい。
【００２２】
図４に示すように、前カバー部８の後布８２は着用者の陰のう２１及び陰茎２２に直接触る部分を含んでいる。また、前カバー部８の前布８０は、左右一対の布が左右方向の中央部８４で縫い合わされて、図４に示すように、前側に膨らむ立体形状に形成されている。後布８２も同様に立体形状に形成されている。前布８０は、上端部８８側の裏面に面ファスナ４０が設けられている。面ファスナ４０の前布８０の裏面への固定は、縫着、接着、溶着等何れでも良い。また、後布８２の上端部側の表面には、面ファスナ４１が設けられている。面ファスナ４１の後布８２の表面への固定は、縫着、接着、溶着等何れでも良い。面ファスナ４０及び面ファスナ４１は、一方がフック状に起毛され、他方がループ状に密集して起毛されており、面ファスナ４０と面ファスナ４１とが貼り付いて封止する封止部材を構成する。尚、面ファスナ４０及び面ファスナ４１の代わりにホックボタン等を設けても良い。
【００２３】
また、図４に示すように、前カバー部８の下端部８６側は、パンツ本体５の股下部４側のマチ４Ａに縫着されている。また、図１〜図２に示すように、前カバー部８の下端部８６（図４参照）側の左右両端部には、下端部８６から上端部８７方向に所定長さ縫着された固定部８３が各々設けられている。従って、前部５１と左右両側の固定部８３と前カバー部８と接続部４Ｃとの間に、図４に示すように、袋状底部８５が形成されている。この袋状底部８５に陰のう２１及び陰茎２２が収納される。袋状底部８５が陰のう２１及び陰茎２２のほぼ全体を包み込むようにした状態で下方に垂れ下がるように保持することで、陰のう２１が押圧されず、
使用者に対して男性用下着１のサポート着用感を向上させている。
【００２４】
図１に示すように、この前カバー部８の左右一対の固定部８３，８３の上側は、後布８２と前部５１との間が、各々、開口された通気開口部８１，８１となっている。通気開口部８１は、固定部８３の上端部８３Ａから前カバー部８の後布８２の上端部８７まで開口されている。この前カバー部８の左右端部に形成された通気開口部８１，８１を有しているため、サポート機能が高くなっても袋状底部８５内には外気が導入、導出されることにより袋状底部８５内を乾燥状態へと導くことが可能となる。また、前カバー部８の左右側に設けられる通気開口部８１に手を通すことができるため、左利きや右利きによらず、着用者の陰のう２１及び陰茎２２のサポート位置を直したり、放尿時に露出させることが容易にできることとなる。また、図４に示すように、前部５１と左右両側の固定部８３と前カバー部８と接続部４Ｃとの間に袋状底部８５が形成されているので、左右両側の通気開口部８１，８１を設けながら、袋状底部８５の左右両側の固定部８３，８３が使用者の陰のう２１が外に露出することを防止する。
【００２５】
図２に示すように、前カバー部８の左右一対の固定部８３，８３の上端部８３Ａ，８３Ａを結ぶ仮想線Ｋよりも、窓部６の下端部６Ａが、股下部４側になるように形成されている。この構造により、図４に示すように着用者が男性用下着１を着用した状態で、窓部６から露出される着用者の陰のう２１の根本側に窓部６の開口部の下端部６Ａが食い込むことが無く、押圧感により使用者に不快な思いをさせることが防止できる。従って、着用時の快適な使用感を得ることができる。
【００２６】
上記の男性用下着１では、着用者の陰のう２１及び陰茎２２は窓部６から露出された状態で前カバー部８で覆い隠されるように保持することができる。さらに、着用者の陰のう２１及び陰茎２２を、前カバー部８の左右側に設けられる通気開口部８１，８１に手を通すことができるため、左利きや右利きによらず、位置を直したり、放尿時に露出させることが容易にできる男性用下着を提供できる。しかも、発汗時においても通気開口部８１，８１から直接外気が出入りされるため、ムレ、カブレなどの皮膚疾患や不快感を低減することができる。従って、着用時の快適な使用感を得ることができる。また、収容部９０の窓部６に対向する部分の後布８２は、水分を透過する水分透過素材から形成されているので、漏れた尿が吸水性パッド３０にスムーズに吸収される。さらに、収容部９０は、下方に向かって左右方向の幅が狭くなるように形成された吸水性パッド３０を収容可能に、下方に向かって左右方向の幅が狭くなるように形成されているので、吸水性パッド３０の幅の狭い下端部側から収容部９０の挿入口８９に挿入し易い。収容部９０及び吸水性パッド３０は、下方に向かって左右方向の幅が狭くなるように形成されているので、収容部９０に収容された吸水性パッド３０は位置ずれを生じにくい。
【００２７】
また、収容部９０の外面（前布８０）は、防水性の素材から形成されているので、吸水性パッド３０に吸収された尿の収容部９０の外面（前布８０）から外側への漏れを防止することができる。また、挿入口８９には、封止部材としての面ファスナ４０と面ファスナ４１が設けられているので、収容部９０に吸水性パッド３０を収容後に、封止部材で挿入口を封止すれば、吸水性パッド３０が収容部９０から脱落することがない。
【００２８】
また、吸水性パッド３０は、収容部９０に挿入又は取り外し可能であり、表裏方向において、一定の厚みを有し、下方に向かって左右方向の幅が狭くなる形状であり、表面３１の下部に人の手先が挿入される袋部３２を備えている。この場合には、袋部３２に人が手先を挿入して、収容部９０に吸水性パッド３０を挿入することができるので、収容部９０に吸水性パッド３０を容易に挿入することができる。
【００２９】
以上、本発明の一実施の形態を説明したが、これらはあくまで例示にすぎず、本発明はこれらに限定されるものではない。例えば、固定部８３や接続部４Ｂ，４Ｃ等の縫着部は、ミシンによる縫製に限られず、接着又は溶着等で形成してもよい。また、窓部６は、スリット状の開口部に限られず、２枚の布の端部が所定幅重なる開口部であってもよい。また、封止部材は必ずしも設けなくてもよい。
【符号の説明】
【００３０】
１      男性用下着
２      ウエスト開口部
３      レッグ開口部
４      股下部
４Ａ    マチ
４Ｂ    接続部
４Ｃ    接続部
５      パンツ本体
６      窓部
６Ａ    下端部
７      縁部
８      前カバー部
２２    陰茎
３０    吸水性パッド
３１    表面
３２    袋部
３３    挿入口
４０    面ファスナ
４１    面ファスナ
５１    前部
５２    後部布
８０    前布
８１    通気開口部
８２    後布
８３    固定部
８３Ａ  上端部
８４    中央部
８５    袋状底部
８６    下端部
８７    上端部
８８    上端部
８９    挿入口
９０    収容部
【図１】
2018066076.tif 000003
【図２】
2018066076.tif 000004
【図３】
2018066076.tif 000005
【図４】
2018066076.tif 000006